(57)【要約】      （修正有）【課題】電気エネルギーだけを利用し、大気を汚染せず、操作の安全性が高く、ボイラーを利用せず、設備の初期的取得原価が低く、定期的に検査を受けることが必要ない電磁誘導加熱式熱媒体油循環装置を提供する。【解決手段】中空なチューブ１０と、チューブ１０の所定位置に組付けられている動力源２０と、断熱部材３１と、加熱コイル３２とから構成され、断熱部材３１は、チューブ１０の外周面に嵌め設けられており、その外周面に加熱コイル３２が断熱部材３１を囲むように設けられている複数の加熱アセンブリ３０と、加熱コイル３２と電気的に接続する電源４０と、チューブ１０と連接する少なくとも一つの機械５０と、を備える。【選択図】図１
0003222812.tif 000002
【実用新案登録請求の範囲】
【請求項１】
中空のチューブと、
前記チューブの所定位置に組付けられている動力源と、
断熱部材と、加熱コイルとから構成され、前記断熱部材は、前記チューブの外周面に嵌め設けられており、その外周面に前記加熱コイルが前記断熱部材を囲むように設けられている若干の加熱アセンブリと、
前記加熱コイルと電気的に接続する電源と、
前記チューブと連接する少なくとも一つの機械と、を備えることを特徴とする、
電磁誘導加熱式熱媒体油循環装置。
【請求項２】
前記動力源はポンプであることを特徴とする、請求項１に記載の電磁誘導加熱式熱媒体油循環装置。
【請求項３】
前記チューブの内壁面にフィンが若干設けられていることを特徴とする、請求項１に記載の電磁誘導加熱式熱媒体油循環装置。
【請求項４】
前記断熱部材は、繊維系断熱材、保温綿または絶縁層であることを特徴とする、請求項１に記載の電磁誘導加熱式熱媒体油循環装置。
【請求項５】
前記チューブは、クローズド式のチューブであることを特徴とする、請求項１に記載の電磁誘導加熱式熱媒体油循環装置。
【請求項６】
前記チューブは、オープン式のチューブであることを特徴とする、請求項１に記載の電磁誘導加熱式熱媒体油循環装置。
【考案の詳細な説明】
【技術分野】
【０００１】
本考案は、熱媒体油循環装置に関し、特に、電磁誘導によりチューブ内にある熱媒体油を加熱し、チューブの末端に流す熱媒体油の温度を予定通りに保持することが可能な電磁誘導加熱式熱媒体油循環装置に関するものである。
【背景技術】
【０００２】
一般的に、工場において、熱エネルギーを必要とする機械がある。従来の方式は、石炭、重油または天然ガスを燃焼することによりボイラーを加熱する。ボイラー内に注入される熱媒体油は、ポンプによりパイプラインを介して所要の機械に熱エネルギーを伝えて、熱エネルギーが降下した熱媒体油を、ボイラーに循環して再加熱した後、所要の機械に流して熱エネルギーを伝える。
【０００３】
しかし、従来の装置は、熱エネルギーを伝える効果を有する一方、利用するボイラーが広いスペースを占め、危険性が高く、環境を酷く汚染する虞があると共に、大型のボイラーは毎年定期検査を受けることが必要なため、利用が極めて不便であり、ランニングコストがより高い。
【考案の概要】
【考案が解決しようとする課題】
【０００４】
本考案の主な目的は、電気エネルギーだけを利用し、大気を汚染せず、操作の安全性が高く、ボイラーを利用せず、設備の初期的取得原価が低く、検査を定期的に受ける必要がない電磁誘導加熱式熱媒体油循環装置を提供することにある。
【０００５】
本考案の次の目的は、熱媒体油を送る過程中に、チューブに対して恒温に加熱することにより、チューブの末端でも、熱媒体油が予定の熱エネルギーを持つ電磁誘導加熱式熱媒体油循環装置を提供することにある。
【課題を解決するための手段】
【０００６】
本考案に係る電磁誘導加熱式熱媒体油循環装置は、中空なチューブと、チューブの所定位置に組付けられている動力源と、断熱部材と、加熱コイルとから構成され、断熱部材は、チューブの外周面に嵌め設けられており、その外周面に加熱コイルが断熱部材を囲むように設けられている若干の加熱アセンブリと、加熱コイルと電気的に接続する電源と、チューブと連接する少なくとも一つの機械と、を備えることを特徴とする。
【０００７】
本考案に係る電磁誘導加熱式熱媒体油循環装置は、動力源はポンプであることを特徴とする。
【０００８】
本考案に係る電磁誘導加熱式熱媒体油循環装置は、チューブの内壁面にフィンが若干設けられていることを特徴とする。
【０００９】
本考案に係る電磁誘導加熱式熱媒体油循環装置は、断熱部材は、繊維系断熱材、保温綿または絶縁層であることを特徴とする。
【００１０】
本考案に係る電磁誘導加熱式熱媒体油循環装置は、チューブは、クローズド式のチューブであることを特徴とする。
【００１１】
本考案に係る電磁誘導加熱式熱媒体油循環装置は、チューブは、オープン式のチューブであることを特徴とする。
【考案の効果】
【００１２】
本考案に係る電磁誘導加熱式熱媒体油循環装置には、次のような効果がある。
（１）電気エネルギーだけを利用し、大気を汚染せず、操作の安全性が高く、ボイラーを利用せず、設備の初期的取得原価が低く、検査を定期的に受ける必要がない。
【００１３】
（２）熱媒体油を送る過程中で、チューブを恒温で加熱することにより、チューブの末端でも予定の熱エネルギーを持つ。
【図面の簡単な説明】
【００１４】
【図１】本考案に係る電磁誘導加熱式熱媒体油循環装置の組合済み状態を示す図である。
【図２】本考案に係る電磁誘導加熱式熱媒体油循環装置の一部を示す縦断面図である。
【図３】本考案に係る電磁誘導加熱式熱媒体油循環装置の一部を示す横断面図である。
【図４】本考案の一実施形態に係る電磁誘導加熱式熱媒体油循環装置を示す図である。
【考案を実施するための形態】
【００１５】
以下、本考案の実施の形態を図面に基づいて説明する。
【００１６】
図１から図４を参照する。本考案に係る電磁誘導加熱式熱媒体油循環装置は、中空なチューブ１０と、動力源２０と、若干の加熱アセンブリ３０と、電源４０と、少なくとも一つの機械５０と、を備える。
【００１７】
動力源２０は、チューブ１０の所定位置に組付けられている。
【００１８】
加熱アセンブリ３０は、断熱部材３１と、加熱コイル３２とから構成される。断熱部材３１は、チューブ１０の外周面の所定位置に嵌め設けられている。断熱部材３１の外周面には、図２に示すように、加熱コイル３２が設けられている。
【００１９】
電源４０は、加熱コイル３２と電気的に接続する。
【００２０】
機械５０は、チューブ１０と連接する。
【００２１】
動力源２０はポンプである。
【００２２】
チューブ１０の内壁面には、図３に示すように、フィン１１が若干設けられている。チューブ１０の熱伝導により、熱媒体油との接触面積を増加するための各フィン１１が加熱されて、熱媒体油を加熱する効率を増加することができる。
【００２３】
断熱部材３１は、繊維系断熱材、保温綿、又は絶縁層である。
【００２４】
チューブ１０は、図１に示すように、クローズド式のチューブである。
【００２５】
チューブ１０は、図４に示すように、オープン式のチューブである。
【００２６】
図１から図４を参照する。本考案に係るチューブ１０内には、熱エネルギーを伝えることが可能な熱媒体油が注入されている。チューブ１０の外周面の所定位置には、断熱部材３１と加熱コイル３２とから構成される加熱アセンブリ３０が若干設けられている。断熱部材３１はチューブ１０の外周面の所定位置に嵌め設けられている。断熱部材３１の外周面には、図２及び図３に示すように、加熱コイル３２が設けられている。
電源４０により加熱コイル３２に電力を提供すると、加熱コイル３２の電磁エネルギーによりチューブ１０が加熱されて、チューブ１０内にある熱媒体油が加熱される。チューブ１０と加熱コイル３２との間に断熱部材３１が設けられているため、加熱コイル３２の外面が高熱で溶けることを防止することができる。チューブ１０内の温度が設定された温度になると加熱が停止され、恒温状態を保持する。この後、図１に示すように、動力源２０により、加熱された熱媒体油を機械５０に送る。
本考案に係る電磁誘導加熱式熱媒体油循環装置は、全体の構造が簡単であり、操作方式が簡單で便利であり、電気エネルギーだけを利用し、大気を汚染する問題が全くない。また操作の安全性が高く、ボイラーを必要せず、設備の初期的取得原価が低く、検査を定期的に受けることが必要ない。このため、例えば食品工場や紡績工場などの熱エネルギーを必要とする機械に利用されることが可能である。
【００２７】
一方、熱媒体油を送る過程中に、チューブを恒温に加熱することができ、熱エネルギーを機械に持続に提供することができるため、従来の構成のようにチューブの末端に熱エネルギーが降下する問題を解決することができる。
【００２８】
本考案に係る電磁誘導加熱式熱媒体油循環装置は、循環式で加熱することにより、工場の複数の機械を加熱することが可能である他、ゼムクリップ式の構成に設計してもよい。これにより、図４に示すように、単一の機械を加熱することができる。これも上記と同じ効果を得ることができる。
【００２９】
本考案に係る電磁誘導加熱式熱媒体油循環装置は、斬新な構造であり、同じ技術分野において、これと同じ又は近似する製品は全くないため、新規性および進歩性を持つ。よって、実用新案の登録を請求する。
【符号の説明】
【００３０】
１０  チューブ
１１  フィン
２０  動力源
３０  加熱アセンブリ
３１  断熱部材
３２  加熱コイル
４０  電源
５０  機械
【図１】
0003222812.tif 000003
【図２】
0003222812.tif 000004
【図３】
0003222812.tif 000005
【図４】
0003222812.tif 000006
【手続補正書】
【提出日】令和1年7月8日(2019.7.8)
【手続補正１】
【補正対象書類名】実用新案登録請求の範囲
【補正対象項目名】全文
【補正方法】変更
【補正の内容】
【実用新案登録請求の範囲】
【請求項１】
中空のチューブと、
前記チューブの所定位置に組付けられている動力源と、
断熱部材と、加熱コイルとから構成され、前記断熱部材は、前記チューブの外周面に嵌め設けられており、その外周面に前記加熱コイルが前記断熱部材を囲むように設けられている複数の加熱アセンブリと、
前記加熱コイルと電気的に接続する電源と、
前記チューブと連接する少なくとも一つの機械と、を備えることを特徴とする、
電磁誘導加熱式熱媒体油循環装置。
【請求項２】
前記動力源はポンプであることを特徴とする、請求項１に記載の電磁誘導加熱式熱媒体油循環装置。
【請求項３】
前記チューブの内壁面にフィンが複数設けられていることを特徴とする、請求項１に記載の電磁誘導加熱式熱媒体油循環装置。
【請求項４】
前記断熱部材は、繊維系断熱材、保温綿または絶縁層であることを特徴とする、請求項１に記載の電磁誘導加熱式熱媒体油循環装置。
【請求項５】
前記チューブは、クローズド式のチューブであることを特徴とする、請求項１に記載の電磁誘導加熱式熱媒体油循環装置。
【請求項６】
前記チューブは、オープン式のチューブであることを特徴とする、請求項１に記載の電磁誘導加熱式熱媒体油循環装置。